(57)【要約】      （修正有）【課題】バーベキュー用コンロに於いて、バーベキュー終了後の片づけや洗い物に於いて、特に手間がかかっている火床部材と金属網を使い捨てとすることで、片づけ手間を削減し、１コイン業者が販売している安価なアルミトレイ、金属網を買い足し使用できるバーベキュー用コンロを提供する。【解決手段】Ｈ形に組み上げた基部材２個をＸ型に組み上げた台座部材と、該台座部材の上に配して炭や薪などの燃料を保持し得る火床部材１０と、火床部材１０の上方に配した焼き網３０などの調理部材と、該台座部材の柱部材３に該調理部材を保持する調理部材保持具とを備えたバーベキュー用コンロであることを特徴とする。【選択図】図７
0003216550.tif 000002
【実用新案登録請求の範囲】
【請求項１】
Ｈ形の基部材２個をＸ型に係合した台座部材と、該台座部材の上に配して炭や薪などの燃料を保持し得る火床部材と、焼き網支持具と、該焼き網支持具の上に配した焼き網を備え、バーベキュー用コンロであることを特徴とするバーベキュー用コンロ。
【請求項２】
該焼き網支持具は、該台座部の柱部に対し着脱自在に係止し、係止高さを変えることで、該火床部材と該焼き網との距離を調整する事を特徴とする請求項１に記載のバーベキュー用コンロ。
【請求項３】
該火床部材がアルミトレイであることを特徴とする請求項１または請求項２に記載のバーベキュー用コンロ。
【考案の詳細な説明】
【技術分野】
【０００１】  本考案は、バーベキュー終了後の片づけ作業を容易にするバーベキュー用コンロに関するものである。
【背景技術】
【０００２】  従来から、炭や薪などの燃料を保持し得る火床部材と、その上方に焼き網などを配設して、焼き調理が行えるように構成したバーベキュー用コンロが提案されている（以下、従来例という。）。【０００３】  従来例のバーベキュー用コンロに於いて、バーベキュー終了後の後片付けは、誰もが避けたいものであった。特に、次回バーベキューの為に、肉や海産物や野菜などの油やタレなどが焦げて固まりとなって頑固にへばり付いた焼き網を洗う事は、相当な手間がかかっていた。【０００４】  また、炭の残りカスや焼き網の網目から落ちた肉の切れ端や、タレ、油で汚れた火床部材を洗う事も、かなりの手間がかかっていた。【０００５】  現在、アルミトレイや焼き網などを、１コインで販売する事業者がいくつも存在し、安価に購入する事が可能である。
【特許文献１】特許第３８５７５７７号
【特許文献２】特許第３４００３７２号
【特許文献３】実用新案登録第２５３７７９８号
【考案の開示】
【考案が解決しようとする課題】
【０００６】  本考案は、バーベキュー用コンロに於いて、バーベキュー終了後の片づけや洗い物に於いて、特に手間がかかっている火床部材と焼き網を使い捨てとする事で、片づけ手間を削減し、１コイン業者が販売している安価なアルミトレイ、焼き網を買い足し使用できるバーベキュー用コンロを提供する事にある。
【課題を解決するための手段】
【０００７】  本考案は、Ｈ形の基部材２個をＸ型に係合した台座部材と、該台座部材の上に配して炭や薪などの燃料を保持し得る火床部材と、焼き網支持具と、該焼き網支持具の上に配した焼き網を備え、バーベキュー用コンロであることを特徴とする。【０００８】  また、該焼き網支持具は、該台座部の柱部に対し着脱自在に係止し、係止高さを変えることで、該火床部材と該焼き網との距離を調整する事を特徴とする。【０００９】  また、該火床部材がアルミトレイであることを特徴とする。
【考案の効果】
【００１０】  バーベキュー終了後は、炭や燃えカスやこぼれ落ちたタレなどの溜まったアルミトレイ、油や焦げ付きだらけの焼き網などのごみ取り、水洗いなどを実施することなくそのまま廃棄することで、後片付け作業が大いに簡素化される。また、廃棄したアルミトレイ、焼き網などは、現在１コインで販売するいくつかの事業者が存在し、安価に買い直し補充する事で、何回もバーベキューを楽しむ事ができる。
【考案を実施するための最良の形態】
【００１１】  Ｘ型に組み上げた台座部材の上に１コイン業者で販売しているアルミトレイを配し、焼き網支持具の上に１コイン業者で販売している焼き網を配し、台座部の柱部に係止した焼き網支持具の係止高さを変えることで、火床部材と焼き網との距離を調整し、焼き加減の調整を図ることができる。【００１２】  ただし、炭の燃えカスを含んだアルミトレイの廃棄時には、火災防止の為に十分に冷めてから行う必要があることは言うまでもない。
【実施例１】
【００１３】  図１は、Ｈ形に組み上げた基部材の斜視図である。１は梁部材であって、２は切り欠き部、３は柱部材、４はスプリングピン。図では柱部材３が梁部材１を貫き、スプリングピン４で固定しているが、柱部材３を、上下２部品で構成する場合もあり、柱部材３の固定も、ビス固定、溶接、はめ込みなどにする場合もある。【００１４】  図２は、２つ基部材を示す斜視図である。図では同じ基部材の２つの切り欠き部２をはめ込む前の状態を示している。【００１５】  図３は、２つの基部材をＸ型に係合し台座部材とした斜視図である。図では切り欠き部２を組み合わせて梁部材１がＸ型になっている。Ｘ型を十字型と言う場合もある。組立後にビス固定、ヒンジ固定などとする場合もある。【００１６】  図４は、台座部材の上に火床部材を配した状態を示す斜視図である。１０は火床部材を示している。火床部材１０を、１コインの販売するアルミトレイとすることで、バーベキュー終了後、十分に時間をかけて冷ました後、そのまま廃棄することが可能となる。【００１７】  図５は、台座部材の柱部に焼き網支持具を係止した状態を示す斜視図である。２０は焼き網支持具であって、２１はつまみ部、２２は挟部を示している。図の焼き網支持具２１は、クリップ形状をしており、つまみ部２１をつまむ事で、挟部２２が開き、柱部の自由な高さに係止することを可能としている。【００１８】  図６は、焼き網支持具の別構成を示す斜視図である。２５は焼き網支持具であって、２６は貫通孔を示している。図の焼き網支持具２５はクリップピンとしているが、形状をこれに限るものではない。焼き網支持具２５を台座部材の柱部に設けた別の貫通孔２６に通す事で焼き網支持具２５の高さを可能としている。【００１９】  図７は、焼き網支持具の上に焼き網を配した状態を示す斜視図である。３０は焼き網を示している。焼き網支持具２１の係止の位置を変えることで、火床部材１０と焼き網３０の距離を変え、焼き加減の調整を可能としている。【００２０】  図８は、図２に対し台座部材の形状違い時の斜視図である。６は板状の梁部材であって、７はビスを示している。図２で示す梁部材１は、角パイプ形状であったが、梁部材６は板状部材を梁部材として使用し、梁部材６と１本の柱部材３はビス７で固定している。
【産業上の利用可能性】
【００２１】  本発明の、バーベキュー用コンロは、バーベキュー後の誰もが嫌がる片づけ作業を容易にすることで、バーベキューを楽しいまま終わることができ、繰り返しバーベキューをやりたい、と思ってもらうことができる。
【図面の簡単な説明】
【００２２】
【図１】Ｈ形に組み上げた基部材の斜視図。
【図２】２つ基部材を示す斜視図。
【図３】２つの基部材をＸ型に係合し台座部材とした斜視図。
【図４】台座部材の上に火床部材を配した状態を示す斜視図。
【図５】台座部材の柱部に焼き網支持具を係止した状態を示す斜視図。
【図６】焼き網支持具の別構成を示す斜視図。
【図７】焼き網支持具の上に焼き網を配した状態を示す斜視図。
【図８】図２に対し台座部材の形状違い時の斜視図。
【符号の説明】
【００２３】  １    梁部材
２    切り欠き部
３    柱部材
４    スプリングピン
６    梁部材
７    ビス
１０    火床部材
２０    焼き網支持具
２１    つまみ部
２２    挟部
２５    焼き網支持具
２６    貫通孔
３０    焼き網
【図１】
0003216550.tif 000003
【図２】
0003216550.tif 000004
【図３】
0003216550.tif 000005
【図４】
0003216550.tif 000006
【図５】
0003216550.tif 000007
【図６】
0003216550.tif 000008
【図７】
0003216550.tif 000009
【図８】
0003216550.tif 000010